(57)【要約】【課題】簡単な構造で作製費が低減でき、かつ繰り返し使用しても相対回転してしまうことのない収納用容器および混練運搬用容器の提供、および、嵩を減らして容易に廃棄処分ができる収納用容器の提供。【解決手段】建築用流体材料を収納する収納用容器Ａ，Ａ′と、その収納用容器Ａ，Ａ′を嵌挿できかつ混練機１２の揺動台１３に対して着脱自在な混練運搬用容器Ｅ，Ｅ′とが、それらの相対回転を防止する回転防止部材をそれぞれ備えている収納用容器と混練運搬用容器の組み合わせにおいて、上記収納用容器Ａ，Ａ′が、難自立性の筒状胴部Ｂと、該筒状胴部Ｂの上側に連続し、外周面に回転防止部材を備えた自立性の上面開口環体部Ｃ，Ｃ′と、上記筒状胴部Ｂの下側に連続し、下面に回転防止部材を備えた自立性の底体部Ｄとからなり、かつ、上記混練運搬用容器Ｅ，Ｅ′が、底壁２１とその周縁に起立した周壁２２からなるとともに、それら底壁２１と周壁２２それぞれの所要位置に収納用容器Ａ，Ａ′の上記回転防止部材と対になる回転防止部材を備えている収納用容器と混練運搬用容器の組み合わせ。【選択図】  図１
2004182323.tif 000002
【特許請求の範囲】
【請求項１】
建築用流体材料を収納する収納用容器と、その収納用容器を嵌挿できかつ混練機の揺動台に対して着脱自在な混練運搬用容器とが、それらの相対回転を防止する回転防止部材をそれぞれ備えている収納用容器と混練運搬用容器の組み合わせにおいて、上記収納用容器が、難自立性の筒状胴部と、該筒状胴部の上側に連続し、外周面に回転防止部材を備えた自立性の上面開口環体部と、上記筒状胴部の下側に連続し、下面に回転防止部材を備えた自立性の底体部とからなり、かつ、上記混練運搬用容器が、底壁とその周縁に起立した周壁からなるとともに、それら底壁と周壁それぞれの所要位置に収納用容器の上記回転防止部材と対になる回転防止部材を備えていることを特徴とする収納用容器と混練運搬用容器の組み合わせ。
【請求項２】
建築用流体材料を収納する収納用容器と、その収納用容器を嵌挿できかつ混練機の揺動台に対して着脱自在な混練運搬用容器とが、それらの相対回転を防止する回転防止部材をそれぞれ備えている収納用容器と混練運搬用容器の組み合わせにおいて、上記収納用容器が、難自立性の筒状胴部と、該筒状胴部の上側に連続し、外周面に回転防止部材を備えた難自立性の覆体部と、上記筒状胴部の下側に連続し、下面に回転防止部材を備えた自立性の底体部とからなり、かつ、上記混練運搬用容器が、底壁とその周縁に起立した周壁からなるとともに、それら底壁と周壁それぞれの所要位置に収納用容器の上記回転防止部材と対になる回転防止部材を備えていることを特徴とする収納用容器と混練運搬用容器の組み合わせ。
【請求項３】
収納用容器の上面開口環体部の回転防止部材が、ベルベットファスナーまたはゴム磁石であり、混練運搬用容器の周壁の回転防止部材が、該周壁の上端開口の内周縁に貼着したベルベットファスナーまたはゴム磁石であることを特徴とする請求項１記載の収納用容器と混練運搬用容器の組み合わせ。
【請求項４】
収納用容器の上面開口環体部の回転防止部材が、嵌合凸部とそれらの間に貼着したベルベットファスナーまたはゴム磁石であり、混練運搬用容器の周壁の回転防止部材が、該周壁の上端開口の内周縁に形成した嵌合凹部とそれらの間に貼着したベルベットファスナーまたはゴム磁石であることを特徴とする請求項１記載の収納用容器と混練運搬用容器の組み合わせ。
【請求項５】
収納用容器の覆体部の回転防止部材が、ベルベットファスナーまたはゴム磁石であり、混練運搬用容器の周壁の回転防止部材が、該周壁の外周面に貼着したベルベットファスナーまたはゴム磁石であることを特徴とする請求項２記載の収納用容器と混練運搬用容器の組み合わせ。
【請求項６】
収納用容器の底体部の回転防止部材が、その底壁の下面のほぼ全面を覆うように貼着したベルベットファスナーまたはゴム磁石であり、混練運搬用容器の底壁の回転防止部材がその底壁の上面のほぼ全面を覆うように貼着したベルベットファスナーまたはゴム磁石であることを特徴とする請求項１，２，３，４または５記載の収納用容器と混練運搬用容器の組み合わせ。
【請求項７】
収納用容器の底体部の回転防止部材が、その底壁の下面に貼着した環状のベルベットファスナーまたはゴム磁石であり、混練運搬容器の底壁の回転防止部材が、その底壁の上面に貼着した環状のベルベットファスナーまたはゴム磁石であることを特徴とする請求項１，２，３，４または５記載の収納用容器と混練運搬用容器の組み合わせ。
【請求項８】
収納用容器の底体部の回転防止部材が、その底壁の下面に穿設された複数の嵌合溝で、混練運搬容器の底壁の回転防止部材が、底壁の上面に立設された、上記嵌合溝に嵌合する複数の嵌合突起であることを特徴とする請求項１，２，３，４または５記載の収納用容器と混練運搬用容器の組み合わせ。
【請求項９】
難自立性の筒状胴部と、該筒状胴部の上側に連続し、外周面に回転防止部材を備えた自立性の上面開口環体部と、上記筒状胴部の下側に連続し、下面に回転防止部材を備えた自立性の底体部とからなることを特徴とする収納用容器。
【請求項１０】
難自立性の筒状胴部と、該筒状胴部の上側に連続し、外周面に回転防止部材を備えた難自立性の覆体部と、上記筒状胴部の下側に連続し、下面に回転防止部材を備えた自立性の底体部とからなることを特徴とする収納用容器。
【請求項１１】
底壁とその周縁に起立した周壁とからなるとともに、その底壁の上面の所要位置と上記周壁の所要位置に、収納用容器の回転防止部材と対になる回転防止部材を備えていることを特徴とする混練運搬用容器。
【発明の詳細な説明】
【０００１】
【発明の属する技術分野】
本発明は、シーリング材，塗料をはじめとする粉体状，粒体状，液体状または粘性体状の各種建築用流体材料を収納する収納用容器と、その収納用容器を嵌挿して使用する混練運搬用容器およびこれら容器の組み合わせに関する。
【０００２】
【従来の技術】
建築用流体材料を収納して出荷，輸送するための包装容器の一種である収納用容器、および、上記建築用流体材料を施工現場で混練し運搬するために、上記収納用容器を嵌挿できるようにした混練運搬用容器として、たとえば本発明者が提案した図１７，１８のものが公知となっている。
【０００３】
１は薄層材料製の収納用容器で、それは底壁２の下面に嵌合凸部３を形成するとともに、上端開口縁の全周に形成した鍔部４に、位置決め用孔５，５を形成した突片６，６を突設している。
７は、上記収納用容器１を嵌挿できるようにした混練運搬用容器で、その底壁８の上面には上記嵌合凸部３と同形の嵌合凹部９が形成されている。また、上端開口縁には、上記位置決め用孔５，５を嵌合できるようにした位置決め用ピン１０，１０を立設した突片１１，１１を突設している。
１２は上記混練運搬用容器７を乗載固定する揺動台１３と、建築用流体材料を混練するパドル１４を備えた混練機である。
【０００４】
上記各容器１，７を用いた建築用流体材料の混練作業は以下のように行う。
まず上記混練運搬用容器７内に、建築用流体材料を収納した上記収納用容器１を嵌挿する。
その嵌挿は、上記混練運搬用容器７の位置決め用ピン１０…に収納用容器１の位置決め用孔５…を嵌合させるようにして、両容器の位置を合わせながら行う。位置決め用ピン１０…と位置決め用孔５…とを嵌合させることにより、収納用容器１の嵌合凸部３と混練運搬用容器７の嵌合凹部９も嵌合し、収納用容器１は混練運搬用容器７内で相対回転しないように固定される。
この状態で、上記混練運搬用容器７を揺動台１３上に乗載固定して該揺動台１３を揺動させると、収納用容器１内に挿入したパドル１４によって建築用流体材料の混練が行われる。
【０００５】
【特許文献１】
特許第３２８９１９２号公報（図１）
【０００６】
【発明が解決しようとする課題】
しかし、上記のような収納用容器１および混練運搬用容器７には、互いに嵌合させるための位置決め用孔５…と位置決め用ピン１０…、および、嵌合凸部３と嵌合凹部９とを作製しなければならず、その作製のぶん手間がかかり費用が嵩むという問題があった。
また、混練運搬用容器７は繰り返し混練作業に用いられるから、その位置決め用ピン１０…および嵌合凹部９が徐々に摩耗して、混練作業中に該混練運搬用容器７と収納用容器１とが相対回転してしまうようなこともある。
一方、位置決め用孔５…と位置決め用ピン１０…、および、嵌合凸部３と嵌合凹部９をより精密に作製して、より緊密に嵌合させることも考えられるが、それでは嵌挿するのが困難になり手間がかかってしまうし、作製費用が従来よりも嵩んでしまうおそれがある。
【０００７】
そこで本発明は、簡単な構造で作製費が低減でき、かつ繰り返し使用しても相対回転してしまうことのない収納用容器および混練運搬用容器を提供することを目的とする。
また、本発明収納用容器は、嵩を減らして容易に廃棄処分ができるようにすることを目的とする。
【０００８】
【課題を解決するための手段】
請求項１記載の本発明収納用容器と混練運搬用容器の組み合わせは、建築用流体材料を収納する収納用容器Ａ，Ａ′と、その収納用容器Ａ，Ａ′を嵌挿できかつ混練機１２の揺動台１３に対して着脱自在な混練運搬用容器Ｅ，Ｅ′とが、それらの相対回転を防止する回転防止部材をそれぞれ備えている収納用容器と混練運搬用容器の組み合わせにおいて、上記収納用容器Ａ，Ａ′が、難自立性の筒状胴部Ｂと、該筒状胴部Ｂの上側に連続し、外周面に回転防止部材を備えた自立性の上面開口環体部Ｃ，Ｃ′と、上記筒状胴部Ｂの下側に連続し、下面に回転防止部材を備えた自立性の底体部Ｄとからなり、かつ、上記混練運搬用容器Ｅ，Ｅ′が、底壁２１とその周縁に起立した周壁２２からなるとともに、それら底壁２１と周壁２２それぞれの所要位置に収納用容器Ａ，Ａ′の上記回転防止部材と対になる回転防止部材を備えているものである。
【０００９】
請求項２記載の本発明収納用容器と混練運搬用容器の組み合わせは、建築用流体材料を収納する収納用容器Ｆと、その収納用容器Ｆを嵌挿できかつ混練機１２の揺動台１３に対して着脱自在な混練運搬用容器Ｋとが、それらの相対回転を防止する回転防止部材をそれぞれ備えている収納用容器と混練運搬用容器の組み合わせにおいて、上記収納用容器Ｆが、難自立性の筒状胴部Ｇと、該筒状胴部Ｇの上側に連続し、外周面に回転防止部材を備えた難自立性の覆体部Ｈと、上記筒状胴部Ｇの下側に連続し、下面に回転防止部材を備えた自立性の底体部Ｊとからなり、かつ、上記混練運搬用容器Ｋが、底壁３５とその周縁に起立した周壁３６からなるとともに、それら底壁３５と周壁３６それぞれの所要位置に収納用容器Ｆの上記回転防止部材と対になる回転防止部材を備えているものである。
【００１０】
請求項３記載の本発明は、収納用容器Ａの上面開口環体部Ｃの回転防止部材が、ベルベットファスナーまたはゴム磁石であり、混練運搬用容器Ｅの周壁２２の回転防止部材が、該周壁２２の上端開口の内周縁２３に貼着したベルベットファスナーまたはゴム磁石である請求項１記載の収納用容器と混練運搬用容器の組み合わせである。
【００１１】
請求項４記載の本発明は、収納用容器Ａ′の上面開口環体部Ｃ′の回転防止部材が、嵌合凸部２８…とそれらの間に貼着したベルベットファスナーまたはゴム磁石であり、混練運搬用容器Ｅ′の周壁２２の回転防止部材が、該周壁２２の上端開口の内周縁２３に形成した嵌合凹部２９…とそれらの間に貼着したベルベットファスナーまたはゴム磁石である請求項１記載の収納用容器と混練運搬用容器の組み合わせである。
【００１２】
請求項５記載の本発明は、収納用容器Ｆの覆体部Ｈの回転防止部材が、ベルベットファスナーまたはゴム磁石であり、混練運搬用容器Ｋの周壁３６の回転防止部材が、該周壁３６の外周面に貼着したベルベットファスナーまたはゴム磁石である請求項２記載の収納用容器と混練運搬用容器の組み合わせである。
【００１３】
請求項６記載の本発明は、収納用容器Ａ，Ａ′，Ｆの底体部Ｄ，Ｊの回転防止部材が、その底壁１８，３２の下面のほぼ全面を覆うように貼着したベルベットファスナーまたはゴム磁石であり、混練運搬用容器Ｅ，Ｅ′，Ｋの底壁２１，３５の回転防止部材がその底壁２１，３５の上面のほぼ全面を覆うように貼着したベルベットファスナーまたはゴム磁石である請求項１，２，３，４または５記載の収納用容器と混練運搬用容器の組み合わせである。
【００１４】
請求項７記載の本発明は、収納用容器Ａ，Ａ′，Ｆの底体部Ｄ，Ｊの回転防止部材が、その底壁１８，３２の下面に貼着した環状のベルベットファスナーまたはゴム磁石であり、混練運搬容器Ｅ，Ｅ′，Ｋの底壁２１，３５の回転防止部材が、その底壁２１，３５の上面に貼着した環状のベルベットファスナーまたはゴム磁石である請求項１，２，３，４または５記載の収納用容器と混練運搬用容器の組み合わせである。
【００１５】
請求項８記載の本発明は、収納用容器Ａ，Ａ′，Ｆの底体部Ｄ，Ｊの回転防止部材が、その底壁１８，３２の下面に穿設された複数の嵌合溝４１…で、混練運搬容器Ｅ，Ｅ′，Ｋの底壁２１，３５の回転防止部材が、底壁２１，３５の上面に立設された、上記嵌合溝４１…に嵌合する複数の嵌合突起４２…である請求項１，２，３，４または５記載の収納用容器と混練運搬用容器の組み合わせである。
【００１６】
請求項９記載の本発明収納用容器は、難自立性の筒状胴部Ｂと、該筒状胴部Ｂの上側に連続し、外周面に回転防止部材を備えた自立性の上面開口環体部Ｃ，Ｃ′と、上記筒状胴部Ｂの下側に連続し、下面に回転防止部材を備えた自立性の底体部Ｄとからなるものである。
【００１７】
請求項１０記載の本発明収納用容器は、難自立性の筒状胴部Ｇと、該筒状胴部Ｇの上側に連続し、外周面に回転防止部材を備えた難自立性の覆体部Ｈと、上記筒状胴部Ｇの下側に連続し、下面に回転防止部材を備えた自立性の底体部Ｊとからなるものである。
【００１８】
請求項１１記載の本発明混練運搬用容器は、底壁２１，３５とその周縁に起立した周壁２２，３６とからなるとともに、その底壁２１，３５の上面の所要位置と、上記周壁２２，３６の所要位置に、収納用容器の回転防止部材と対になる回転防止部材を備えているものである。
【００１９】
【発明の実施の形態】
以下、まず本発明の第１実施形態に係る収納用容器、混練運搬用容器およびこれら容器の組み合わせについて図１〜８を参照し詳しく説明する。
【００２０】
Ａは、筒状胴部Ｂの上側に上面開口環体部Ｃを、下側に底体部Ｄをそれぞれ連続させてなる、所要の合成樹脂材料より一体成形された収納用容器である。
【００２１】
上記筒状胴部Ｂは、上記合成樹脂材料により肉薄かつ柔軟に成形された、それ自体では自立が難しい難自立性のものである。
【００２２】
上記上面開口環体部Ｃは、上端開口径を下端開口径よりも大きくし、周壁１５を上記合成樹脂材料により肉厚でかつ硬く成形した、それ自体で自立させることができる自立性を有するものである。
その上面開口環体部Ｃの外周面には、後記の混練運搬用容器Ｅとの相対回転を防止する回転防止部材として、全周にわたって貼着した、ベルベットファスナー（いわゆるマジックテープ（登録商標））の掛け側ベルベット１６を備えている。
【００２３】
その上面開口環体部Ｃの上端開口縁には、該上端開口を塞ぐ蓋材１７を引き剥がし自在に貼着している。
また、その下端開口縁は、上記筒状胴部Ｂの上端開口縁に連続している。
【００２４】
上記底体部Ｄは、円形状の底壁１８と、その周縁に起立した周壁１９とからなるもので、それは上記合成樹脂材料により肉厚でかつ硬く成形され自立性を有する。
上記周壁１９の上端開口縁の外径は、上記底壁１８の外径よりも大きく、かつ、上記上面開口環体部Ｃの下端開口径よりもやや小さくしてある。
【００２５】
その底体部Ｄの下面すなわち上記底壁１８の下面には、後記の混練運搬用容器Ｅとの相対回転を防止する回転防止部材として、該下面のほぼ全面を覆うように貼着した円形状の、ベルベットファスナーの掛け側ベルベット２０を備えている。
また、周壁１９の上端開口縁は、上記筒状胴部Ｂの下端開口縁に連続している。
【００２６】
上記構成よりなる収納用容器Ａは、建築用流体材料を収納したときには内圧により筒状胴部Ｂが伸張して、全体としてほぼ逆円錐台状をなす。
また、何も収納していないときには、筒状胴部Ｂを圧潰して底体部Ｄを上面開口環体部Ｃの下端開口に嵌入させると、該底体部Ｄは、上面開口環体部Ｃに、該上面開口環体部Ｃとの間に圧潰されて折り重なった筒状胴部Ｂの一部を挟持した状態で嵌合して抜け落ちないようになっている（図４，５）。
【００２７】
Ｅは、円形状の底壁２１とその周縁に起立した周壁２２とからなる有底筒状で、上記収納用容器Ａを内部に嵌挿できるようにした金属または合成樹脂製の混練運搬用容器である。
【００２８】
上記混練運搬用容器Ｅの周壁２２の上端開口の内周縁２３には回転防止部材として、その全周に貼着した、上記収納用容器Ａの掛け側ベルベット１６と対になるベルベットファスナーの受け側ベルベット２４を備えている。
【００２９】
また、その上端開口の内周縁２３は、上記収納用容器Ａを該混練運搬用容器Ｅ内に嵌挿したときに、該収納用容器Ａの上面開口環体部Ｃと嵌合係止する形状にしてあり、これによって該上面開口環体部Ｃを支持する（図８）。
【００３０】
上記底壁２１の上面には回転防止部材として、該上面のほぼ全面を覆うように貼着した、上記収納用容器Ａの掛け側ベルベット２０と対になる円形状の、ベルベットファスナーの受け側ベルベット２５を備えている。
また、その底壁２１の下面は、従来より公知の前記混練機１２の揺動台１３（図１８）に、着脱自在になっている。
【００３１】
上記周壁２２の外周面には、略コ字状の取手２６の両端部を回転自在に取り付ける取付部２７，２７が、相対向する配置で突設されている。
【００３２】
上記の収納用容器Ａおよび混練運搬用容器Ｅとを用いた建築用流体材料の混練、運搬は以下のように行う。
【００３３】
まず、上記混練機１２の揺動台１３に、上記混練運搬用容器Ｅを乗載固定する。
そして建築用流体材料を収納している上記収納用容器Ａを、その混練運搬用容器Ｅ内に嵌挿して、前者の上面開口環体部Ｃの掛け側ベルベット１６と後者の受け側ベルベット２４を係合させ、さらに、前者の底体部Ｄの掛け側ベルベット２０と後者の受け側ベルベット２５を係合させる（図８）。
これによって収納用容器Ａは、上記混練運搬用容器Ｅ内に相対回転しないようにして固定される。
【００３４】
次に、収納用容器Ａの蓋材１７を引き剥がして、必要であれば混練すべき他の材料を投入する。
たとえば２成分系のシーリング材は、基剤と硬化剤等とを混練して得られるものであるが、収納用容器Ａに基材を収納している場合には、そこに混練すべき硬化剤等を投入する。
【００３５】
その後、上記混練機１２のパドル１４を収納用容器Ａ内に上方から挿入して、上記揺動台１３を駆動させる。
収納用容器Ａは、揺動台１３に乗載固定した混練運搬用容器Ｅに固定されているから、揺動台１３を駆動させることにより一体的に揺動し、したがってまた、上記パドル１４と収納用容器Ａとが相対的に揺動して、建築用流体材料の混練が行われる。
【００３６】
混練完了後、収納用容器Ａを混練運搬用容器Ｅごと混練機１２から取り外して、所望の場所まで運搬して上記建築用流体材料を使用することができる。
【００３７】
その建築用流体材料を全て使用した後には、上記収納用容器Ａを混練運搬用容器Ｅから取り外して、その収納用容器Ａだけを廃棄するものであるが、その収納用容器Ａは、筒状胴部Ｂを圧潰して底体部Ｄを上面開口環体部Ｃに嵌合させた状態とすることによって、嵩を減らすことができるので廃棄作業が容易である。
【００３８】
次に、本発明の第２実施形態に係る収納用容器、混練運搬用容器およびこれら容器の組み合わせについて図９を参照して説明する。
【００３９】
本実施形態に係る収納用容器および混練運搬用容器は、収納用容器の上面開口環体部の回転防止部材と混練運搬用容器の周壁の回転防止部材とが、上記第１実施形態のものと異なるだけであるので、以下には同一箇所に同一符号を付すこととし、それらの相違点についてのみ説明する。
【００４０】
本実施形態の収納用容器Ａ′の上面開口環体部Ｃ′はその外周面に回転防止部材として、所定の角度間隔をおいて突出形成した嵌合凸部２８…とそれらの間に貼着したベルベットファスナーの掛け側ベルベット１６′…とを備えている。
【００４１】
また、本実施形態の混練運搬用容器Ｅ′の周壁２２の上端開口の内周縁には、回転防止部材として上記嵌合凸部２８…と同じ角度間隔でそれと同形に形成した嵌合凹部２９…と、それら嵌合凹部２９…の間に貼着した、上記掛け側ベルベット１６′…と対になるベルベットファスナーの受け側ベルベット２４′…を備えている。
【００４２】
上記収納用容器Ａ′は、上記嵌合凸部２８…を上記嵌合凹部２９…に一致させて混練運搬用容器Ｅ′内に嵌挿したときに、上記掛け側ベルベット１６′…が受け側ベルベット２４′…に係合し、さらに収納用容器Ａ′の底体部Ｄの掛け側ベルベット２０が混練運搬用容器Ｅ′の受け側ベルベット２５に係合するようになっている。これによって、該収納用容器Ａ′は上記混練運搬用容器Ｅ′内に相対回転しないようにして固定することができる。
【００４３】
なお、上記収納用容器Ａ′の掛け側ベルベット１６′…と、混練運搬用容器Ｅ′の受け側ベルベット２４′とを省略し、収納用容器Ａ′の上面開口環体部Ｃの固定は嵌合凸部２８…と嵌合凹部２９…のみによって行うようにしてもよい。
【００４４】
次に、本発明の第３実施形態に係る収納用容器、混練運搬用容器およびこれら容器の組み合わせについて図１０〜１２を参照して説明する。
【００４５】
Ｆは、筒状胴部Ｇの上側に覆体部Ｈを、下側に底体部Ｊをそれぞれ連続させてなる、所要の合成樹脂材料より一体成形された収納用容器である。
【００４６】
上記筒状胴部Ｇは、上記合成樹脂材料により肉薄かつ柔軟に成形された、それ自体では自立が難しい難自立性のものである。
【００４７】
上記覆体部Ｈは、上記筒状胴部Ｇの上側に連続形成された筒状で、該筒状胴部Ｇと同様に上記合成樹脂材料により肉薄かつ柔軟に成形されている難自立性のものである。
その覆体部Ｈの上端縁の相対向する位置には、手掛け孔３０，３０を開設していて、さらに、それら手掛け孔３０，３０のやや下側の外周面には回転防止部材として、全周にわたって貼着したベルベットファスナーの掛け側ベルベット３１を備えている。
【００４８】
上記底体部Ｊは、円形状の底壁３２と、その周縁に起立した周壁３３とからなるもので、それは上記合成樹脂材料により肉厚でかつ硬く成形され自立性を有する。
その底体部Ｊの下面すなわち底壁３２の下面には回転防止部材として、該下面のほぼ全面を覆うように貼着した円形状の、ベルベットファスナーの掛け側ベルベット３４を備えている。
【００４９】
上記構成の収納用容器Ｆは、上記覆体部Ｈの上端開口を通じて建築用流体材料を充填した後、上記手掛け孔３０，３０を一致させて該上端開口を高周波ウェルダー等で溶着閉鎖し、必要に応じ紐で結束される（図１１）。
【００５０】
Ｋは、円形状の底壁３５とその周縁に起立した周壁３６とからなる有底筒状で、上記収納用容器Ｆを内部に嵌挿できるようにした金属または合成樹脂製の混練運搬用容器である。
【００５１】
上記周壁３６の外周面の、上端縁よりやや下側の位置の全周には、回転防止部材として、上記掛け側ベルベット３１と対になるベルベットファスナーの受け側ベルベット３７を備えている。
また、その受け側ベルベット３７のやや下側には、該混練運搬用容器Ｋの取手の両端部を回転自在に取り付ける一対の取付部が突設されている（図示しない）。
【００５２】
上記底壁３５の上面には回転防止部材として、該上面のほぼ全面を覆うように貼着した、上記掛け側ベルベット３４と対になる円形状の、ベルベットファスナーの受け側ベルベット４０を備えている。
【００５３】
また、その底壁３５の下面は、前記混練機１２の揺動台１３に着脱自在になっている。
【００５４】
上記収納用容器Ｆの混練運搬用容器Ｋへの嵌挿，固定は以下のように行う。
まず、収納用容器Ｆを混練運搬用容器Ｋ内へ挿嵌して、前者の底体部Ｊの下面の掛け側ベルベット３４を、後者の底壁３５の上面の受け側ベルベット４０に係合させる。
次に、溶着閉鎖されている覆体部Ｈを掛け側ベルベット３１の上側で切断して、上記収納用容器Ｆを開封する。
そして、覆体部Ｈを下方へ折り返して混練運搬用容器Ｋの周壁３６に被せるとともに、その覆体部Ｈの掛け側ベルベット３１を、上記周壁３６の外周面の受け側ベルベット３７に対向させ、それらを係合させる。
【００５５】
上記のようにして収納用容器Ｆを上記混練運搬用容器Ｋに相対回転しないように固定した後、第１実施形態の場合と同様にして混練作業等を行うことができる。
【００５６】
また、この収納用容器Ｆは廃棄時には覆体部Ｈと筒状胴部Ｇを圧潰して底体部Ｊ内に収納し、嵩を減らすことができる。
【００５７】
上記各実施形態では、収納用容器Ａ，Ａ′，Ｆを合成樹脂材料により一体成形するようにしたが、それらは必ずしも一体成形によって作製する必要はなく、筒状胴部Ｂ，Ｇと、上面開口環体部Ｃ，Ｃ′または覆体部Ｈと、底体部Ｄ，Ｊとを別個に作製したのち溶着したり接着することによって一体にしてもよい。また合成樹脂材料の代わりに防水処理をした紙等、各種の薄層材料を用いて作製するのも好ましい。
【００５８】
その収納用容器Ａ，Ａ′，Ｆの底体部Ｄ，Ｊの底壁１８，３２の下面のベルベットファスナー２０，３４、および混練運搬用容器Ｅ，Ｅ′，Ｋの底壁２１，３５の上面のベルベットファスナー２５，４０は、円形状のものとしたが、それらは、たとえば環状のものとしてもよい。
【００５９】
また、回転防止部材としては、上記各実施形態で用いたベルベットファスナーの代わりにたとえばゴム磁石等を用いてもよい。
【００６０】
さらに図１３〜１６に示すように、収納用容器Ａ，Ａ′，Ｆの底体部Ｄ，Ｊの底壁１８，３２の回転防止部材を、該底壁１８，３２下面の周縁に沿って穿設した複数の弧状の嵌合溝４１…とし、それと対になる混練運搬用容器Ｅ，Ｅ′，Ｋの底壁２１，３５の回転防止部材を、その底壁２１，３５の上面の周縁に沿って立設した複数の弧状の嵌合突起４２…として、それら嵌合溝４１…と嵌合突起４２…とを嵌合させるようにするのもよい。
【００６１】
また、筒状胴部Ｂ，Ｇは、肉薄で柔軟なものとしたが、たとえばやや肉厚にし、複数の折り目を入れて蛇腹状に成形して伸縮自在にすることも好ましい。
【００６２】
【発明の効果】
以上述べたところから明らかなように、請求項１に係る本発明収納用容器と混練運搬用容器の組み合わせは、建築用流体材料を収納する収納用容器と、その収納用容器を嵌挿できかつ混練機の揺動台に対して着脱自在な混練運搬用容器とが、それらの相対回転を防止する回転防止部材をそれぞれ備えている収納用容器と混練運搬用容器の組み合わせにおいて、上記収納用容器が、難自立性の筒状胴部と、該筒状胴部の上側に連続し、外周面に回転防止部材を備えた自立性の上面開口環体部と、上記筒状胴部の下側に連続し、下面に回転防止部材を備えた自立性の底体部とからなり、かつ、上記混練運搬用容器が、底壁とその周縁に起立した周壁からなるとともに、それら底壁と周壁それぞれの所要位置に収納用容器の上記回転防止部材と対になる回転防止部材を備えているので、上記収納用容器と混練運搬用容器が相対回転しないよう確実に固定できる。
【００６３】
また、請求項２に係る本発明収納用容器と混練運搬用容器の組み合わせは、建築用流体材料を収納する収納用容器と、その収納用容器を嵌挿できかつ混練機の揺動台に対して着脱自在な混練運搬用容器とが、それらの相対回転を防止する回転防止部材をそれぞれ備えている収納用容器と混練運搬用容器の組み合わせにおいて、上記収納用容器が、難自立性の筒状胴部と、該筒状胴部の上側に連続し、外周面に回転防止部材を備えた難自立性の覆体部と、上記筒状胴部の下側に連続し、下面に回転防止部材を備えた自立性の底体部とからなり、かつ、上記混練運搬用容器が、底壁とその周縁に起立した周壁からなるとともに、それら底壁と周壁それぞれの所要位置に収納用容器の上記回転防止部材と対になる回転防止部材を備えているので、上記収納用容器と混練運搬用容器が相対回転しないよう確実に固定できる。
【００６４】
さらに、請求項３〜７記載の発明によれば、回転防止部材がベルベットファスナーまたはゴム磁石であるので、繰り返し使用しても嵌合が緩まない。
【００６５】
また、請求項４または８記載の発明によれば、回転防止部材として嵌合凸部と嵌合凹部あるいは嵌合溝と嵌合突起をも備えているので、より確実に嵌合する。
【００６６】
請求項９に係る本発明収納用容器は、難自立性の筒状胴部と、該筒状胴部の上側に連続し、外周面に回転防止部材を備えた自立性の上面開口環体部と、上記筒状胴部の下側に連続し、下面に回転防止部材を備えた自立性の底体部とからなるので、簡単な構造ゆえ作製費を低減できる。また作製に必要な材料が少なくて足りるので、資源の節約にもなる。
さらに、筒状胴部が難自立性なので、使用後には該筒状胴部を圧潰し、嵩を減らして廃棄することができる。
【００６７】
請求項１０に係る本発明収納用容器は難自立性の筒状胴部と、該筒状胴部の上側に連続し、外周面に回転防止部材を備えた難自立性の覆体部と、上記筒状胴部の下側に連続し、下面に回転防止部材を備えた自立性の底体部とからなるので、簡単な構造ゆえ作製費を低減できる。また作製に必要な材料が少なくて足りるので、資源の節約にもなる。
さらに、筒状胴部および覆体部が難自立性なので、使用後にはそれらの部分を圧潰し、嵩を減らして廃棄することができる。
【００６８】
請求項１１に係る本発明混練運搬用容器は、底壁とその周縁に起立した周壁とからなるとともに、その底壁の上面の所要位置と上記周壁の所要位置に、収納用容器の回転防止部材と対になる回転防止部材を備えているので、嵌挿した上記収納用容器を、相対回転しないよう確実に固定できる。
【図面の簡単な説明】
【図１】本発明の第１実施形態に係る収納用容器および混練運搬用容器の斜視図である。
【図２】収納用容器の側面図である。
【図３】収納用容器の底面図である。
【図４】上記収納用容器の底体部を上面開口環体部に嵌合させた状態の斜視図である。
【図５】その要部の断面図である。
【図６】混練運搬用容器の側面図である。
【図７】混練運搬用容器の平面図である。
【図８】収納用容器を混練運搬用容器に嵌挿，固定した状態の断面図である。
【図９】本発明の第２実施形態に係る収納用容器および混練運搬用容器の斜視図である。
【図１０】本発明の第３実施形態に係る収納用容器の斜視図である。
【図１１】その収納用容器の覆体部の上端開口を溶着閉鎖した状態の斜視図である。
【図１２】その収納用容器を混練運搬用容器に嵌挿，固定した状態の断面図である。
【図１３】他の回転防止部材を備えた収納用容器の底体部の斜視図である。
【図１４】その底体部の底面図である・
【図１５】さらに他の回転防止部材を備えた混練運搬用容器の斜視図である。
【図１６】図１３，１４の収納用容器と図１５の混練運搬用容器の回転防止部材を嵌合させた状態の断面図である。
【図１７】従来の収納用容器および混練運搬用容器の斜視図である。
【図１８】その収納用容器，混練運搬用容器および混練機を使用した混練作業の様子を示す斜視図である。
【符号の説明】
Ａ，Ａ′，Ｆ                収納用容器
Ｂ，Ｇ                    筒状胴部
Ｃ，Ｃ′                    上面開口環体部
Ｄ，Ｊ                    底体部
Ｅ，Ｅ′，Ｋ              混練運搬用容器
Ｈ                        覆体部
１２                      混練機
１３                      揺動台
１８，２１，３２，３５    底壁
２２，３６                周壁
２３                      上端開口の内周縁
２８                      嵌合凸部
２９                      嵌合凹部
４１                      嵌合溝
４２                      嵌合突起
【図１】
2004182323.tif 000003
【図２】
2004182323.tif 000004
【図３】
2004182323.tif 000005
【図４】
2004182323.tif 000006
【図５】
2004182323.tif 000007
【図６】
2004182323.tif 000008
【図７】
2004182323.tif 000009
【図８】
2004182323.tif 000010
【図９】
2004182323.tif 000011
【図１０】
2004182323.tif 000012
【図１１】
2004182323.tif 000013
【図１２】
2004182323.tif 000014
【図１３】
2004182323.tif 000015
【図１４】
2004182323.tif 000016
【図１５】
2004182323.tif 000017
【図１６】
2004182323.tif 000018
【図１７】
2004182323.tif 000019
【図１８】
2004182323.tif 000020